(57)【特許請求の範囲】
【請求項１】
互いに間隔を空けてそれぞれ略垂直方向に立設される複数本の柱状部を基盤の中心部分と周辺部分にそれぞれ立設するとともに、当該中心部分に位置する柱状部に海藻種苗を取着し、その中心部分に位置する柱状部に取着された海藻種苗から放出される胞子を介して周辺部分の柱状部に海藻を繁茂させることを特徴とする海中林造成方法。
【請求項２】
互いに間隔を空けてそれぞれ略垂直方向に立設される複数本の柱状部を備えた造成用構造物の周辺部分に位置する柱状部に海藻種苗を取着するとともに、この海藻種苗を取着した柱状部が海流の主たる流れ方向の上流側となるように設置し、その上流側の柱状部に取着された海藻種苗から放出される胞子を介して他の柱状部に海藻を繁茂させることを特徴とする海中林造成方法。
【発明の詳細な説明】
【０００１】
【発明の属する技術分野】
本発明は、海藻類を中心とする海中林すなわち藻場を造成し、魚貝類の繁殖につながる海中環境の改善技術に係り、立体的で永続性のある藻場の形成が低コストで可能な海中林造成技術に関する。
【０００２】
【従来の技術】
現在、我国においては沿岸漁業の振興が重要な課題であり、魚貝類、海藻類等の水産生物の増殖および養殖が図られている。しかるに、沿岸部においては種々の原因によって藻場が消滅し、藻場を生活の場としている魚貝類が激減する、いわゆる「磯焼け」と呼ばれる現象が各地に拡大している。
【０００３】
一般に、海藻は比較的浅い海底の岩石表面に着生し、そこで繁殖する。ところが、磯焼け海域では近くに母藻が存在しないため胞子の供給源がないことや、岩石が石灰藻で覆われ、海藻が着生し難いこと等により生育環境がきわめて悪い。また、砂泥質の海域では海藻の生育は元々困難である。したがって、このような磯焼け海域での藻場の再生や砂泥海域での藻場造りにおいては、海藻の導入を図ることが重要である。
【０００４】
ところで、従来の藻場の再生や藻場造りにおいては、コンクリートブロックや自然石を海底に投入したり、その海底に沈設するコンクリートブロックの具体的な形状や沈設場所に関する工夫を施すことによって種々の改善を図る試みが行われている（特開平２−２５５０２７号、特開平２−７６５２５号等参照）。また、自然着生に依存する前者の方法に代わり、近年においては他所で生育した海藻種苗を造成区域に導入する試みも行われている。例えば自生しているアマモ類を底土ごと採取し、これを移植地に運搬して移植したり、あるいは母藻を接着したブロックを岩礁等に固定する方法が提案されている（特開平９−２４８０９１号、実用新案登録第３０３９１９２号参照）。
【０００５】
【発明が解決しようとする課題】
しかしながら、胞子を介した自然着生による前者の方法では、特に海藻の生育状態が悪い海域では海藻の着生する機会がきわめて少なく、期待どおりの自然着生が困難なことにより、実際には海中林の造成がなかなか進まないのが実情である。
【０００６】
一方、特開平９−２４８０９１号に開示される方法では、移植のために採取された区域の海藻が消失することから根本的な解決策とはならず、その永続性にも問題がある。また、実用新案登録第３０３９１９２号による方法では、母藻を着生させたブロックの岩礁への固定に手間がかかるばかりか、母藻が砂泥による埋没や食害等による被害を受けやすく、安定した胞子の供給源とはなりにくい。さらに、いずれの方法においても造成された藻場は平面的で海中林といえるような立体的で大規模な藻場の造成は困難であり、また短期間での造成を目的として施工時に導入する海藻種苗に成熟した藻体を用いる場合には、幼体を用いる場合に比べてその費用が格段に嵩むばかりか、成熟した海藻種苗を大量に用意することが困難であるなど、多くの問題が残されている。
【０００７】
本発明は、上記従来技術の問題点に鑑みなされたもので、海中の有効利用につながる立体的な藻場の造成が可能であって、しかも永続性のある海中林を低コストで造成できる方法を提供することをその目的としている。
【０００８】
【課題を解決するための手段】
上記課題を解決するため、本発明の海中林造成方法では、互いに間隔を空けてそれぞれ略垂直方向に立設される柱状部を備えた造成用構造物に、海藻種苗をそれらの一部の柱状部に取着し、その海藻種苗から放出される胞子を介して周囲の柱状部に海藻を繁茂させるもので、それら柱状部に繁茂した海藻が核となって造成用構造物全体に広がり繁茂する。即ち、請求項１の発明では、互いに間隔を空けてそれぞれ略垂直方向に立設される複数本の柱状部を基盤の中心部分と周辺部分にそれぞれ立設するとともに、当該中心部分に位置する柱状部に海藻種苗を取着し、その中心部分に位置する柱状部に取着された海藻種苗から放出される胞子を介して周辺部分の柱状部に海藻を繁茂させるという技術手段を採用した。また、請求項２の発明では、互いに間隔を空けてそれぞれ略垂直方向に立設される複数本の柱状部を備えた造成用構造物の周辺部分に位置する柱状部に海藻種苗を取着するとともに、この海藻種苗を取着した柱状部が海流の主たる流れ方向の上流側となるように設置し、その上流側の柱状部に取着された海藻種苗から放出される胞子を介して他の柱状部に海藻を繁茂させるという技術手段を採用した。これらの造成方法によれば、施工時に導入する海藻種苗が比較的少なくて済むので、低コストで藻場を形成することができ、特に造成用構造物に設けられた柱状部の存在により、立体的な海中林の造成が可能である。即ち、海底に立設された柱状部には、下部から上方に向けての湧昇流が生じやすいことから、柱状部表面に着生している海藻種苗に対して酸素や栄養分が万遍なく行き渡りそのほぼ全長を着生床として利用することができ、海域の単位面積当たりの海藻種苗の量が増大する。また、その垂直方向に形成された着生床は海藻の水深に対する生育条件を充足しやすいため、造成の成功率がきわめて高くなる。さらに、海底の砂泥の堆積により柱状部下方の海藻が埋没しても上部に着生している海藻が残り、またウニ等の藻食性動物による食害も受けにくく、造成用構造物をコンクリート等の耐久性の高い素材で形成した場合には、造成の核となる柱状部の海藻が世代交代をしながら長期に渡り胞子を供給し続けるので、永続性のある海中林を造成することができる。
【０００９】
本発明において、大規模な藻場の造成を図るには、そこに導入する海藻種苗も大型のものが望ましい。具体的には、コンブ、アラメ、カジメ、クロメ等のコンブ科海藻がなどが挙げられ、その中でも特にツルアラメが好適である。もちろんコンブ科海藻に限らず、造成区域の環境によっては他の種類の海藻も適用可能である。なお、ツルアラメの場合には、その匍匐根のみでも種苗として使用できるので、輸送・保管・取付等の造成に関わる一連の作業おける取扱いが容易であり、しかも栄養繁殖により増殖することから海中林を短期間で確実に造成する上では好都合な海藻である。なお、前記海藻種苗の取着手段としては、柱状部表面に対して例えばファスナー、バンド、ステープルなどの結束具や固定具などを用いて直接的に取着したり、あるいは水槽内でクレモナ（商品名）等の海藻胞子の付着に適した種苗糸等の付着基材に海藻の胞子を付着させて発芽させた後、その付着基材をそのままロープ、ホースなどの適度な太さを有する紐状体、リング、プレートなどの担持基体に添着し、これを海中にて適宜大きさになるまで育成したものなど、適宜形状の担持手段を介して間接的に取着することも可能である。
【００１０】
また、柱状部と共に海藻の着生床にもなる造成用構造物は、例えば適宜形状のコンクリート基盤にコンクリート柱を立設したもの、あるいは格子枠状に形成された並型漁礁など、ほぼ垂直方向に柱状部分を有する構造物であればその対象となる。なお、それら造成用構造物の素材としてはコンクリートに限らず金属、木材、合成樹脂等でもよく、また柱状部は中空状のものでもよい。そして、これら造成用構造物に対する前記海藻種苗の取着は、目的とする海域に造成用構造物を沈設した後に海中において行うか、あるいは予め台船上において装着するなど、その時期は特に限定されない。
【００１１】
そして、これら海藻種苗は、複数本の柱状部が基盤の中心部分と周辺部分にそれぞれ立設配置された造成用構造物の場合には、当該中心部分に位置する柱状部に取着する。また、造成用構造物の周辺部分に位置する柱状部に海藻種苗を取着し、この海藻種苗を取着した柱状部が海流の主たる流れ方向の上流側となるように設置してもよい。なお、造成用構造物において、海藻種苗を取着する柱状部と、それが設けられない他の柱状部との間隔は、成熟海藻から放出される胞子の拡散距離などの理由により１０ｍ以内、特に好ましくは１．５〜３ｍ程度に設定することが望ましい。１０ｍ以上の間隔であっても他の柱状部に海藻は着生はするが、胞子の濃度が極端に薄まるため１シーズンにおける着生固体数がごく僅かであり、他の柱状部全体に海藻が繁茂するまでには時間がかかる。したがって、海中林造成の核として、安定した胞子の供給源を短期間で確保する上では、それらの間隔が近いことが望まれる。
【００１２】
さらに、前記柱状部の各表面に養藻塗料を塗布すると、海藻胞子の付着やその後の生育に効果的である。養藻塗料の具体例としては、例えば本出願人の提案になる光合成細菌、多孔質粒子を用いた担体および当該光合成細菌の栄養成分からなる水域環境改善用塗料（特開平５−２４７３７８号公報参照）が特に好適である。この塗料を塗布すれば、胞子が付着しやすいなどの理由により海藻類の着生率が高く、かつ海藻の生育に必要な栄養分を長期間にわたり安定的に供給することから、良好な着生床となる。なお、一般の化成肥料を含む養藻塗料の使用ももちろん可能であり、さらに柱状部に加えて造成用構造物の他の表面に養藻塗料を塗布してもよい。
【００１３】
さらにまた、前記柱状部の基部外周面には、船底塗料あるいは防汚塗料と称され、亜酸化銅などを主成分として海中生物の付着を阻止する機能を備えた忌避剤を塗布してもよく、この場合には柱状部に着生している海藻種苗が、海底から這い上がってくる巻貝等の藻食性動物による食害から有効に保護され、海中林造成の核としてそこで世代交代をしながら永続的に胞子を供給し続ける。
【００１４】
【発明の実施の形態】
以下、図面に基づき本発明の実施の形態について説明する。図１は本発明による造成状態を示した概略説明図である。実施例における造成用構造物１は、コンクリート等から形成された十字状の基盤２に、同様な素材からなる柱体３を基盤２の中央部および各端部にそれぞれ１本ずつ立設したものである。柱体３としては、実施例のような円柱の他に多角柱でもよく、それらは中実または中空のいずれでもよい。柱体３の表面、および基盤２の底面を除いた各面には予め養藻塗料を塗布することが望ましいが、それは必須要件ではない。因みに、柱体３の長さは４ｍ前後が好適であるが、設置場所の水深等により適宜変更する。また、各柱体間の間隔は１．５〜１０ｍ程度、その中でも１．５〜３ｍ程度が好ましい。さらに、中央部に位置する柱体３には、例えば本出願人の提案に係るＣ型リング状の担持基体４に海藻種苗５を着生させてなる海藻種苗担持用具（特開平１０−１３６８１３号公報参照）が、その長手方向の所々に装着されている。なお、前記海藻種苗担持用具に代えて、水槽内で種苗糸に海藻の胞子を付着させて発芽させた後、その種苗糸をそのままロープなどに添着し、これを海中にて適宜大きさになるまで育成した養殖ロープなどを中央部に位置する柱体３に対して螺旋状に巻き付けてもよい。
【００１５】
そして、造成区域に沈設された造成用構造物１では、繁殖時期になると、中央部の柱体３に着生している成熟した海藻種苗５から胞子が放出され、これが周辺部に位置する柱体３の表面および基盤２にも付着し、そこで発芽して海藻を繁茂させる。なお、造成用構造物１の周囲に岩礁等の着生床がない場所では、沈設する際に造成用構造物１の周囲に捨て石６などを投入することが望ましい。特に、大規模な海中林の造成を図る場合には、この造成用構造物１の多数を相互に適宜間隔で設置したり、あるいは複数の造成用構造物１を群としてまとめ、その複数群間に魚網の投入が可能な間隔をあけて設置するようにしてもよい。この造成方法によれば、藻場造成の核となる海藻が、所定位置に設置された造成用構造物１のほぼ垂直方向に立設している柱体３を着生床としていることから、湧昇流等の影響で良好に生育し、しかも造成用構造物１が永久構造物であるためそこで順調に世代交代が行われ、長期間に渡り安定的に胞子を放散し続けることになるので、施工時に用意する海藻種苗の量が少なく、低コストで海中林を造成できるという利点がある。
【００１６】
なお、上記実施例では、繁殖時期になると直ちに胞子を放出することのできる段階まで生育している成熟した海藻種苗５を着生させた海藻種苗担持用具を複数個使用し、これらを１本の柱体３に高さ位置を変えて取着する事例について説明したが、もちろんその数を１個にするなど、造成用構造物１において胞子の供給源となる海藻種苗５が少なくとも１株存在すればよい。また、特に短期間での造成を求めない場合には、沈設した翌年に初めて胞子を放出するような若い藻体を用いてもよい。柱体３への海藻種苗５の取着時期に関しては、造成用構造物１を沈設する前でも後でも構わない。
【００１７】
図２および図３は、それぞれ造成用構造物の形状が異なる他の実施例である。図２に示す造成用構造物１０は、基盤１１の形状が正方形をなし、５本の柱体３がその中心と四隅に立設され、中心に位置する柱体に上記実施例と同様なＣ型リング状の担持基体４に成熟した海藻種苗５を着生させた海藻種苗担持用具が取着されたものである。また、図３の造成用構造物２０では、４本の柱体３が三叉状の基盤２１の中心と各端部にそれぞれ立設され、同様に中心に位置する柱体にのみ海藻種苗５が担持基体４を介して取着されている。なお、基盤の形状については、これら以外に六角形など適宜形状のものが選択され、柱体の本数も造成条件により適宜変更は可能である。
【００１８】
また、海藻種苗５は必ずしも造成用構造物の中央部に位置する柱体３に取着する必要はなく、周辺部分に位置する柱体３に取着することも可能である。即ち、図４に示す実施例では、図１の造成用構造物１において十字状基盤２の端部に立設される４本の柱体３のうちの１本に海藻種苗５を取着し、この海藻種苗５を取着した柱体３が海流の主たる流れ方向の上流側に位置するように沈設されている。図５の実施例では、造成用構造物３０として正方形状の基盤３１に９本の柱体３を互いに等間隔で立設したものを用い、このうち同じ辺に沿って位置する３本の柱体３に海藻種苗５を取着し、この辺が海流の主たる流れ方向の上流側に位置するように沈設されている。これらの実施例においては、上流側に位置する海藻種苗５から放出された胞子が下流側の柱体３に付着し、そこで海藻が繁茂することになる。この場合には、柱体３が海流に対して抵抗するため、柱体３の表面では渦が生じてそこに胞子が滞留しやすく、付着の確率が高い。なお、各柱体３の表面には前記養藻塗料を塗布すると、着生やその後の生育の点で好結果が得られる。
【００１９】
なお、上記各実施例では基盤に柱体３を立設させた造成用構造物を例に説明したが、その形状についても沈設したときに略垂直方向に柱状部分が立設されるようなものであれば適用することができる。また、海藻種苗５の柱体３に対する取着手段として、リング状の担持基体４を介在させた場合について説明したが、これを他の取着手段に変更したり、さらに使用する海藻種苗５の数や柱体３の本数を適宜増減するなど、この発明の技術思想内での種々の変更はもちろん可能である。
【００２０】
【発明の効果】
本発明によれば、複数本の柱状部を有する造成用構造物の一部の柱状部に海藻種苗を取着し、その海藻種苗から放出される胞子を介して周囲の柱状部にも海藻を繁茂させる。そして、それら柱状部に繁茂した海藻から供給される胞子によりその周囲に海藻が広がり、海中林が造成される。このため、造成工事の際に用意する海藻種苗が比較的少量でよく、低コストで藻場を形成することができる。しかも、造成用構造物に設けられた柱状部の存在により、立体的な海中林となり、また柱状部に繁茂した海藻は砂泥による埋没や藻食性動物の食害を受け難く、造成用構造物をコンクリート等の耐久性の高い素材で形成した場合には、造成の核となる柱状部の海藻が世代交代をしながら長期に渡り胞子の供給源となるので、永続性のある海中林が造成される。
【図面の簡単な説明】
【図１】  本発明による造成状態の一例を示す概略説明図である。
【図２】  本発明で用いる造成用構造物の他の例を示す平面図である。
【図３】  本発明で用いる造成用構造物の他の例を示す平面図である。
【図４】  本発明による造成状態の他の例を示す概略説明図である。
【図５】  本発明による造成状態の他の例を示す概略説明図である。
【符号の説明】
１，１０，２０，３０…造成用構造物、２，１１，２１，３１…基盤、３…柱状部、４…担持基体、５…海藻種苗、６…幼体
【図１】
0003985983.tif 000002
【図２】
0003985983.tif 000003
【図３】
0003985983.tif 000004
【図４】
0003985983.tif 000005
【図５】
0003985983.tif 000006